(57)【要約】【課題】ＩＰ網を通じて画像データ、音声データ等を送受信する通信装置において、相手機のユーザと通話した後、簡易な操作で原稿の画像データの送信を開始することができる通信装置を提供すること。【解決手段】本発明に係る通信装置１は、音声通話用の「ＩＮＶＩＴＥ」を相手先へ送信して前記相手先と音声通話用のセッションを確立し、このセッションが確立されているときに、スタートキー１０ｂの押下がなされたとき、画像データ通信用の「ＩＮＶＩＴＥ」を同じ相手先へ送信して画像データ通信用のセッションを確立し、確立したそのセッション上で画像データを送信する。【選択図】図３
2006311125.tif 000002
【特許請求の範囲】
【請求項１】
音声通話用のセッション開始要求を相手先へ送信して前記相手先と音声通話用のセッションを確立する手段と、前記音声通話用のセッションが確立されているときに、原稿送信開始命令の入力があったとき、画像データ通信用のセッション開始要求を前記相手先へ送信して画像データ通信用のセッションを確立し、確立したそのセッション上で画像データを送信する送信手段と、を備えることを特徴とする通信装置。
【請求項２】
前記原稿送信開始命令の入力は、自装置が備える所定のキーの操作であることを特徴とする請求項１記載の通信装置。
【請求項３】
前記音声通話用のセッションと前記画像データ通信用のセッションは個別に切断可能なものであることを特徴とする請求項１又は２記載の通信装置。
【発明の詳細な説明】
【技術分野】
【０００１】
本発明は、ＳＩＰ（Session  Initiation  Protocol）により画像データと音声データの送受信を行う通信装置に関する。
【背景技術】
【０００２】
近年、ＳＩＰメッセージをやり取りしてメディアセッションを確立した上で、画像データを送受信するＩＰファクシミリ装置が提案されている（例えば、特許文献１乃至３を参照。）。このＩＰファクシミリ装置によれば、ＩＰ網を通じてデータ通信を行うので公衆交換電話網（ＰＳＴＮ）を通じてデータ通信を行うＧ３ファクシミリ装置等と比べて安価に画像データを送信することができる。
【０００３】
ＩＰ網を通じて行う前記データ通信では、ＩＰ電話が既に普及していることからも明らかなように、画像データに限らず、音声通話を行うことも可能である。また、公衆交換電話網を通じて行うＧ３ファクシミリ装置も、電話機付きのものがあり（例えば、特許文献４）、この種のファクシミリ装置によれば、ダイヤル後、相手機のユーザと通話をした後、所定操作によりファクシミリ送信を開始させることができる。かかる機能を利用すれば発呼側ユーザがダイヤル番号を間違えて操作すれば、相手機のユーザと通話をした時点でそのことに気付くので、原稿を誤った宛先へ送信することを未然に防止することができるという利点がある。かかる機能は、近年重要視されている個人情報の保護の観点からも、有効である。
【０００４】
【特許文献１】特開２００４−１７２８５３号公報
【特許文献２】特開２００４−２２１９４５号公報
【特許文献３】特開２００４−２６０５３５号公報
【特許文献４】特開平６−１６４８８８号公報
【発明の開示】
【発明が解決しようとする課題】
【０００５】
ＩＰファクシミリ装置においても、相手機のユーザと通話を行い、接続された相手を確認した上で原稿の送信を開始できれば、誤送信を防止することができるが、そのような機能を実装したＩＰファクシミリ装置は、未だ提案されていない。
【０００６】
本発明は、かかる課題に鑑みてなされたものであり、ＩＰ網を通じて画像データ、音声データ等を送受信する通信装置において、相手機のユーザと通話した後、簡易な操作で原稿の画像データの送信を開始することができる通信装置を提供することを目的とする。
【課題を解決するための手段】
【０００７】
請求項１記載の通信装置は、音声通話用のセッション開始要求を相手先へ送信して前記相手先と音声通話用のセッションを確立する手段と、前記音声通話用のセッションが確立されているときに、原稿送信開始命令の入力があったとき、画像データ通信用のセッション開始要求を前記相手先へ送信して画像データ通信用のセッションを確立し、確立したそのセッション上で画像データを送信する送信手段と、を備えることを特徴としている。
【０００８】
請求項２記載の通信装置は、請求項１記載の通信装置において、前記原稿送信開始命令の入力は、自装置が備える所定のキーの操作であることを特徴としている。
【０００９】
請求項３記載の通信装置は、請求項１又は２記載の通信装置において、前記音声通話用のセッションと前記画像データ通信用のセッションは個別に切断可能なものであることを特徴としている。
【発明の効果】
【００１０】
本発明に係る通信装置によれば、相手機のユーザと通話して相手先ユーザの声を確認した上で、原稿の画像データの送信を開始することができるので、ＩＰ電話番号等の宛先情報の入力間違いなどによる原稿の誤送信を未然に防止することができる。
また、本発明に係る通信装置によれば、原稿の画像データの送信を開始するための操作を簡易なキー操作により行うことができる。
【発明を実施するための最良の形態】
【００１１】
以下、本発明の実施の形態に係る通信装置の一例として電話機能付きＩＰファクシミリ装置１を例に挙げて説明する。図１にＩＰファクシミリ装置の構成例を示す。ＩＰファクシミリ装置１は、ＣＰＵ（中央処理装置）２、ＲＯＭ（リードオンリーメモリー）３、ＲＡＭ（ランダムアクセスメモリー）４、画像メモリ５、コーデック６、原稿読取部７、記録部８、表示部９、操作部１０、ハンドセット１１、及びＬＡＮインタフェース１２を備え、各部２乃至１２はバスＢによって接続されている。
【００１２】
ＣＰＵ２は、ＲＯＭ３に格納された制御プログラムに従って、このＩＰファクシミリ装置１を構成する各部を制御する制御手段として機能する。ＲＡＭ４は、ＣＰＵ２の主メモリ、ワークエリア等として機能する。画像メモリ５は、コーデック６によって圧縮符号化された受信画像データ等を格納する。コーデック６は、送信する画像データを所定方式に従って圧縮符号化し、また、受信した画像データ等を所定方式に従って復号する。
【００１３】
原稿読取部７は、原稿の画像データを読取るものであり、例えば、ＣＣＤカラーラインセンサ、Ａ／Ｄコンバータ、画像処理回路等で構成される。記録部８は、受信画像データ等を記録紙上に記録する。表示部９は、例えば操作部１０に並設されたＬＣＤ（Ｌｉｑｕｉｄ  Ｃｒｙｓｔａｌ  Ｄｉｓｐｌａｙ）からなり、各種の画面情報を表示する。
【００１４】
操作部１０は、テンキー１０ａ、スタートキー１０ｂなど各種の操作キーを備える。テンキー１０ａは、ユーザによる送信相手先の宛先情報入力操作に用いられる。スタートキーは押下されることにより、ＩＰファクシミリ装置１に対して原稿送信開始命令が入力される。
【００１５】
ハンドセット１１は、送話器、受話器とを含み、音声と電気信号との相互変換を行う。また、ハンドセット１１は、音声のアナログ信号とデジタル信号の変換の相互変換をも行うＡ／Ｄ変換部及びＤ／Ａ変換部などを備える。
【００１６】
ＬＡＮインタフェース１２は、ＩＰファクシミリ装置１とＬＡＮ１３とを接続するインターフェースであり、これを通じてＩＰファクシミリ装置１は、同じくＬＡＮ１３に接続されたルータ１５を介してインターネット上の他のＩＰファクシミリ装置２０とＳＩＰによりメディアセッションを確立して音声データや画像データの送受信を行うことができる。
【００１７】
上記構成を備えるＩＰファクシミリ装置１は、ＳＩＰによりメディアセッションを確立した上で音声データ、画像データ等のメディアデータの送受信を行うＳＩＰ通信機能を備える。ＳＩＰにより確立する音声通話用のセッションと画像データ通信用のセッションとは、個別に確立することが可能であり、また、個別に切断をすることも可能である。すなわち、後述する音声通話用又は画像データ通信用のセッション開始要求「ＩＮＶＩＴＥ」の送信により、音声通話用又は画像データ通信用のセッションを確立することができ、また、確立した音声通話用又は画像データ通信用のセッション切断要求「ＢＹＥ」を送信することにより、確立された音声通話用又は画像データ通信用のセッションを切断することができる。ＩＰファクシミリ装置１は、ＳＩＰによりメディアセッションを確立して音声データ、画像データ等を送受信するために必要なプロトコルとして、例えばＲＴＰ（Real-time  Transport  Protocol）、ＳＤＰ（Session  Description  Protocol）などを実装している。
【００１８】
以下、ＩＰファクシミリ装置１が、該ＩＰファクシミリ装置１と同様の構成及び機能を有する他のＩＰファクシミリ装置２０に対して発呼して音声通話、画像データ通信を行う際の処理動作について図２のフローチャート並びに図３及び図４のシーケンス図に基づいて説明する。なお、以下のフローチャートに基づき説明するＩＰファクシミリ装置１の処理動作は、ＲＯＭ３に格納された制御プログラム等に基づいてＣＰＵ２が発行する命令に従って実行される。以下説明の便宜のため、発呼側となるＩＰファクシミリ装置１を発呼側装置１、被呼側となるＩＰファクシミリ装置２０を被呼側装置２０という。
【００１９】
発呼側装置１において、ユーザにより、ハンドセット１１がオフフックされ、テンキー１０ａの操作によりＩＰ電話番号が指定されるなど、宛先情報入力操作により相手先が直接指定されると、発呼側装置１は、これを受付け（Ｓ１）、指定されたＩＰ電話番号（宛先情報）を一時的にＲＡＭ４に記憶するとともに（Ｓ２）、その相手先へ音声通話用のセッション開始要求を発行して送信する（Ｓ３、Ｔ１）。ここで、音声通話用のセッション開始要求は、例えば「ＩＮＶＩＴＥ」メッセージであり、そのメッセージ内のＳＤＰヘッダには、通信要求するメディアタイプとして音声通話が指定されている。
【００２０】
発呼側装置１は、相手先（被呼側装置）２０から呼び出し応答を示すコード「２００  ＯＫ」が返信されるの待つ（Ｓ４）。
【００２１】
被呼側装置２０が発呼側装置１から送出された音声通話用のセッション開始要求である「ＩＮＶＩＴＥ」メッセージ（以下「音声通話用「ＩＮＶＩＴＥ」」という。）を受信したときに、被呼側装置２０（被呼側装置２０のユーザ）が他の装置（他のＩＰファクシミリ装置のユーザ）と話し中の場合は、被呼側装置２０から発呼側装置１へ、話し中であることを示す所定メッセージが送信される。発呼側装置１は、この所定メッセージを受信すると、被呼側装置２０が話し中であると判断し（Ｓ５：ＹＥＳ）、被呼側装置２０が話し中であることを発呼側装置１のユーザに報知する。例えば、発呼側装置１のハンドセット１１の受話器を通じてその旨の音を鳴動することにより報知する（Ｓ６）。一方、被呼側装置２０が発呼側装置１から送出された音声通話用「ＩＮＶＩＴＥ」を受信したときに他の装置と話し中ではなく、被呼側装置２０のユーザが未だ電話に出ていない場合は、Ｓ５において否定判断を行う（Ｓ５：ＮＯ）。
【００２２】
発呼側装置１において、例えばユーザによりハンドセット１１のオンフックがなされるなど、発呼側装置１が呼び出し中止操作がなされたことを検出した場合は（Ｓ７：ＹＥＳ）、一連の処理動作を終了する。発呼側装置１が呼び出し中止操作がなされたことを検出しなければ、処理をＳ４に戻す。
【００２３】
Ｓ４において、被呼側装置２０が発呼側装置１から送出された音声通話用「ＩＮＶＩＴＥ」」を受信し、この呼び出しに応答すると、被呼側装置２０から発呼側装置１へ肯定応答コード「２００  ＯＫ」が送信され（Ｔ２）、発呼側装置１はこれを受信して被呼側装置２０が呼び出しに応答したと判断する（Ｓ４：ＹＥＳ）。そして、発呼側装置１から被呼側装置２０へ最終レスポンスの確認である「ＡＣＫ」を送信した後（Ｔ３）、発呼側装置１と被呼側装置２０との間で音声通話用のセッション（メディアセッション）が確立される（Ｓ８、Ｔ４）。音声通話のセッションが確立されると、双方の装置１、２０のユーザは、ハンドセット１１を通じて互いに通話をすることが可能となる。
【００２４】
発呼側装置１と被呼側装置２０との間で音声通話用のセッション確立されているときに、発呼側装置１において、所定のキーの操作（例えばユーザによるスタートキー１０ｂの押下）がなされるなどして、原稿送信開始命令が発呼側装置１に入力されると（Ｓ９：ＹＥＳ）、発呼側装置１は、現在確立されている音節通話用のセッション上での音声通話を保持するか否を判断する（Ｓ９）。例えば、発呼側装置１は、原稿送信開始命令が入力されて所定時間（例えば３秒）にハンドセット１１がオンフックされなかった場合に、音声通話を保持すると判断し（Ｓ１０：ＹＥＳ）、前記所定時間内にハンドセット１１がオンフックされた場合に、音声通話を切断すると判断する（Ｓ１０：ＮＯ）。なお、本実施の形態においては、前記のようにしてＳ１０の音声通話を保持するか否の判断を行っているが、該判断はこれに限定されず、種々の判断基準に基づき行うことができる。例えば、ＩＰファクシミリ装置１において、原稿送信開始命令が入力された時に音声通話を保持するか否かの設定を予め行えるようにしておき、ＩＰファクシミリ装置１が設定された情報に従ってＳ１０の判断を行うようにしてもよい。
【００２５】
Ｓ１０において、発呼側装置１が音声通話を切断すると判断した場合（Ｓ１０：ＮＯ）、例えば図３に示すように、音声通話用のセッションの切断要求として「ＢＹＥ」メッセージを発行してこれを被呼側装置２０へ送信し（Ｔ５）、被呼側装置から応答コード「２００」を受信した後に（Ｔ６）、両装置１、２０間で確立されていた音声通話用のセッションが切断される（Ｓ１１）。一方、Ｓ１０において、発呼側装置１が音声通話を保持すると判断した場合（Ｓ１０：ＹＥＳ）、前記Ｓ１１の処理を行わない。すなわち、ＩＰファクシミリ装置１は、音声通話用のセッションと画像データ通信用のセッションを個別に切断する手段を備えているため、この場合、音声通話用のセッションは、後記Ｓ１８、Ｓ１９等において、画像データ通信用のセッションと個別に切断される。
【００２６】
なお、以下においては、発呼側装置１が前記Ｓ１０で音声通話を切断すると判断した場合（Ｓ１０：ＮＯ）の通信手順を図３に基づいて説明し、発呼側装置１が前記Ｓ１０で音声通話を保持すると判断した場合（Ｓ１０：ＹＥＳ）の通信手順を図４に基づいて説明する。
【００２７】
Ｓ１０において肯定判断をした場合又はＳ１１において音声通話用のセッションを切断した場合に続いて、発呼側装置１は、Ｓ２で記憶したＩＰ電話番号（Ｓ８での音声通話の相手先のＩＰ電話番号）を相手先の宛先として、画像データ通信用のセッション開始要求を発行して送信する（Ｓ１２、Ｔ７）。ここでも、画像データ通信用のセッション開始要求は、「ＩＮＶＩＴＥ」メッセージであるが、そのメッセージ内のＳＤＰヘッダに通信要求するメディアタイプとしては、画像データ通信が指定されている。
【００２８】
発呼側装置１は、被呼側装置２０から呼び出し応答を示すメッセージ「２００  ＯＫ」が返信され、それを受信すると（Ｓ１３：ＹＥＳ、Ｔ８）、発呼側装置１から被呼側装置２０へ最終レスポンスの確認である「ＡＣＫ」が送信された後（Ｔ９）、発呼側装置１と被呼側装置２０との間で画像データ通信用のセッション（メディアセッション）が確立される（Ｓ１４、Ｔ１０）。そして、確立された画像データ通信用のセッション上で、発呼側装置１は、被呼側装置２０に対する、画像データの送信処理を実行する（Ｓ１５）。発呼側装置１が実行する画像データの送信処理は、例えば、発呼側装置１の原稿読取部７にセットされた原稿が送信される場合にあっては、発呼側装置１は、セットされた原稿の画像を原稿読取部７によって読取り、これにより得られた画像データを、Ｓ１４で確立した画像データ通信用のセッション上で被呼側装置２０へ送信する。また、発呼側装置１が送信すべき画像データをすでに保有している場合には、発呼側装置１は、原稿読取部７による原稿読取動作を行わずに、当該画像データをＳ１４で確立した画像データ通信用のセッション上で被呼側装置２０へ送信する。
【００２９】
Ｓ１５での画像データの送信処理が完了した後、発呼側装置１は、画像データ通信用のセッションの切断要求メッセージである「ＢＹＥ」メッセージを発行してこれを被呼側装置２０へ送信し（Ｔ１１）、発呼側装置１が被呼側装置２０から前記「ＢＹＥ」メッセージの応答コード「２００  ＯＫ」を受信した後（Ｔ１２）、画像データ通信用のセッションが切断される（Ｓ１６）。
【００３０】
次いで、発呼側装置１は、音声通話用のセッションが確立されたままであるか、つまり、未だ通話中であるか否かを判断し（Ｓ１７）、通話中であると判断した場合は（Ｓ１７：ＹＥＳ）、音声通話の切断操作、例えば、ハンドセット１１のオンフックを待つ（Ｓ１８）。
【００３１】
発呼側装置１においてユーザにより音声通話の切断操作がなれた場合（Ｓ１８：ＹＥＳ）、例えば図４に示すように、音声通話用のセッションの切断要求として「ＢＹＥ」メッセージを発行してこれを被呼側装置２０へ送信し（Ｔ１３）、被呼側装置から応答コード「２００」を受信した後に（Ｔ１４）、両装置１、２０間で確立されていた音声通話用のセッションが切断される（Ｓ１９）。この結果、音声通話用のセッションと画像データ通信用のセッションは個別に切断されたこととなる。次いで、Ｓ２で記憶した相手先のＩＰ電話番号の記憶を消去する（Ｓ２０）。
【００３２】
前記Ｓ１７において、発呼側装置１が、音声通話用のセッションは切断済みであると判断した場合（Ｓ１７：ＮＯ）、つまり、発呼側装置１が被呼側装置２０と音声通話中ではないと判断した場合は、一連の処理動作を終了する。
【００３３】
また、前記Ｓ９において、原稿送信開始命令が発呼側装置１に入力されないまま（Ｓ９：ＮＯ）、音声通話の切断操作、例えば、ハンドセット１１のオンフックなどがなされると（Ｓ２１：ＹＥＳ）、処理をＳ１９に移行して、前記したＳ１９、Ｓ２０の処理動作を実行する。なお、Ｓ９及びＳ２１の処理は、音声通話の切断操作又は原稿送信開始命令が入力の何れかがなされるまで繰返される。
【００３４】
以上の説明から明らかなように、本発明の実施の形態に係るＩＰファクシミリ装置１によれば、被呼側装置２０のユーザと通話した後、スタートキー１０ｂを押下するなどの簡易な操作で原稿の画像データの送信を開始することができる。したがって、もしＩＰ電話番号のダイヤル間違い等により、見知らぬ相手が電話に出た場合には、発呼側装置１のユーザは、ダイヤル間違いをしたことに気付くことができるので、原稿送信開始命令の入力操作（スタートキー１０ｂの押下）を中止して原稿の送信開始を取りやめることにより、大切な原稿の誤送信を未然に防止することができる。
【産業上の利用可能性】
【００３５】
本発明は、例えば、ＩＰ電話機とＩＰファクシミリ装置を併せ持つＩＰファクシミリ装置に適用することができる。
【図面の簡単な説明】
【００３６】
【図１】本発明の実施の形態に係るＩＰファクシミリ装置（通信装置）の構成例、ネットワーク構成例等を示した図である。
【図２】本発明の実施の形態に係るＩＰファクシミリ装置（通信装置）において、ＩＰ網を通じて電話をかけながら、原稿の画像データの送信を開始する際に実行する処理動作を示したフローチャートである。
【図３】本発明の実施の形態に係るＩＰファクシミリ装置（通信装置）が相手先に電話をかけながら、画像データの送信を開始する際の通信手順を示したシーケンス図であって、発呼側装置において送信開始命令が入力されるとともに音声通話が切断される場合に形成される通信手順の一例を示したものである。
【図４】本発明の実施の形態に係るＩＰファクシミリ装置（通信装置）が相手先に電話をかけながら、画像データの送信を開始する際の通信手順を示したシーケンス図であって、発呼側装置において送信開始命令が入力されても音声通話が保持される場合に形成される通信手順の一例を示したものである。
【符号の説明】
【００３７】
１、２０    ＩＰファクシミリ装置（通信装置）
２    ＣＰＵ
３    ＲＯＭ
４    ＲＡＭ
１０    操作部
１０ａ    テンキー
１０ｂ    スタートキー（所定のキー）
１１    ハンドセット
【図１】
2006311125.tif 000003
【図２】
2006311125.tif 000004
【図３】
2006311125.tif 000005
【図４】
2006311125.tif 000006